(57)【特許請求の範囲】
【請求項１】
火力調節操作される回転操作軸に連動して回動する回動板に保持穴を形成し、保持穴から突出する方向に付勢されたプランジャを該保持穴内に格納すると共に、回動板の回動によってプランジャの先端が摺動する摺動面を備えた固定板を配設し、該固定板の摺動面に、回転操作軸が所定の操作角度に回動された状態でプランジャの先端部分が嵌る窪みを形成し、回転操作軸の回動操作途中でプランジャの先端が窪みに嵌ることによりクリック感を生じさせるものにおいて、摺動面と回動板との間に、回動板の回動方向に対して所定距離往復自在のシャッタ部材を設けると共に、シャッタ部材が往動端に移動した状態では窪みに一致せず、復動端に移動した状態で窪みに一致する開口をシャッタ部材に開設したことを特徴とする火力調節装置。
【請求項２】
上記保持穴は回動板の外周面に開設され、回動板の回動軸線に対して放射方向にプランジャを付勢したことを特徴とする請求項１記載の火力調節装置。
【発明の詳細な説明】
【０００１】
【発明の属する技術分野】
本発明は、火力を調節する回動操作軸の回動途中でクリック感を有する火力調節装置に関する。
【０００２】
【従来の技術】
従来のこの種の火力調整装置は、回動操作軸を回動操作することによりバーナに供給されるガス量を増減し、火力を小火から大火の間で調節するようにしている。一方、点火する際には、点火を確実に行うため回動操作軸を大火位置まで回動した状態で点火が行われるように構成されている。一旦点火されると、使用勝手をよくするため回動操作軸を中火位置まで戻すとクリック感が生じるようにクリック機構が取り付けられている。
【０００３】
また、大型のバーナと小型のバーナとを重ねて設ける、いわゆる親子バーナを１個の回動操作軸に対する操作により火力調節する場合には、親バーナと小バーナとの火力の組み合わせに応じた位置でクリック感が生じるようにクリック機構が取り付けられている。
【０００４】
このような従来のクリック機構は、例えば回動操作軸と共に回動する回動板を設け、該回動板にばね等により付勢されたプランジャを設けると共に、回動操作軸の回動操作範囲の全域に亘ってプランジャの先端が摺動する摺動面を備えた固定板を取り付け、更に摺動面の所定位置に窪みを設け、窪み内にプランジャの先端が嵌る際にクリック感が生じるように構成されている。
【０００５】
【発明が解決しようとする課題】
上記従来のクリック機構では、例えば中火位置でクリック感が生じるように窪みを設けると、点火のため回動操作軸を強火位置に回動する途中で中火位置を通過する際にクリック感が生じ、そのため強火位置まで回動したものと勘違いしてそれ以上の回動操作をやめてしまい点火できなくなったり、回動操作する者に違和感を与えるという不具合が生じる。
【０００６】
そこで本発明は、上記の問題点に鑑み、例えば点火操作の際にはクリック感が生じす、点火が完了し回動操作軸を中火位置へと戻す操作の際にクリック感が生じる火力調節装置を提供することを課題とする。
【０００７】
【課題を解決するための手段】
上記課題を解決するために本発明は、火力調節操作される回転操作軸に連動して回動する回動板に保持穴を形成し、保持穴から突出する方向に付勢されたプランジャを該保持穴内に格納すると共に、回動板の回動によってプランジャの先端が摺動する摺動面を備えた固定板を配設し、該固定板の摺動面に、回転操作軸が所定の操作角度に回動された状態でプランジャの先端部分が嵌る窪みを形成し、回転操作軸の回動操作途中でプランジャの先端が窪みに嵌ることによりクリック感を生じさせるものにおいて、摺動面と回動板との間に、回動板の回動方向に対して所定距離往復自在のシャッタ部材を設けると共に、シャッタ部材が往動端に移動した状態では窪みに一致せず、復動端に移動した状態で窪みに一致する開口をシャッタ部材に開設したことを特徴とする。
【０００８】
シャッタ部材の開口はプランジャの摺動軌跡上に位置する。回動操作軸を点火方向に回動することによって回動板が回動すると、プランジャの先端がシャッタ部材に接しているのでシャッタ部材を引きずって往動させる。シャッタ部材は往動端まで移動するとそれ以上移動しないが回動板は更に回動し続ける。シャッタ部材が往動端位置にある状態では開口は窪みに一致しないので、プランジャの先端が窪みの位置を通過する際、シャッタ部材が窪みを蓋してプランジャの先端が窪みに嵌らず、クリック感が生じない。回動操作軸を消火方向に回動させると、シャッタ部材はプランジャの先端に引きずられて復動する。そして、シャッタ部材が復動端まで復動するとシャッタ部材はそれ以上移動しなくなると共に、シャッタ部材の開口が窪みに一致する。ここで、プランジャの先端が窪み位置まで移動するとプランジャの先端は開口を通って窪み内に嵌りクリック感が生じる。
【０００９】
ところで、上記保持穴を回動板の外周面に開設し、回動板の回動軸線に対して放射方向にプランジャを付勢することにより、クリック機構の該回動軸線方向の寸法を短くすることができ、火力調節装置を小形化することができる。
【００１０】
【発明の実施の形態】
図１を参照して、１はガス流量を調節する火力調節弁であり、該火力調節弁１は二重に配列された親バーナＢと小バーナＳとに別経路を介してガスを供給する。これら親バーナＢ及び小バーナＳへのガス供給量の調節は回動操作軸１２に取り付けられた火力調節つまみ１１を回動動作することにより行う。図２を参照して、該火力調節つまみ１１が真上の「止」位置の状態にある場合では、親バーナＢ及び小バーナＳの双方にガスが供給されず両バーナ共に消火状態になる。該「止」位置から左方向に略４５度の位置に親バーナＢ及び小バーナＳが共に中火になる「Ｉ」が設定され、同じく略１００度の位置に親バーナＢ及び小バーナＳが共に大火になる「ＩＩ」が設定され、同じく略１５０度の位置に親バーナＢが消火され小バーナＳが大火になる「ＩＩＩ」が設定され、最後に、略１８０度の位置に親バーナＢが消火され小バーナＳが小火になる「ＩＶ」が設定されている。点火時には火力調節つまみ１１を「止」位置から「ＩＩ」位置まで一気に回すと図外のマイクロスイッチがオンされバーナのボディと図外の点火電極との間に火花放電が生じ両バーナに点火される。一旦点火されると、「ＩＩ」位置から「Ｉ」位置を経て「止」位置へ火力調節つまみ１１を戻してもよく、あるいは、「ＩＩ」位置から「ＩＩＩ」位置を経て「ＩＶ」位置まで回動させた後、「止」位置に戻してもよい。
【００１１】
ところで、図１に示した回動操作軸１２にはクリック感を発生させるクリック機構２が取り付けられている。該クリック機構２のケーシング２１内には回動操作軸１２に連動して回動する円板状の回動板２２と、該回動板２２の外周面に対して一定の距離を隔てた摺動面２３ｓを有する固定板２３とが格納されている。回動板２２には回動板２２の外周面に開口する保持穴２５が形成されている。該保持穴２５の中心軸線は回動操作軸１２の回動軸線に対して放射方向に沿うように設定されており、かつ、該保持穴２５内には保持穴２５の中心軸線に沿って、ばね３１により放射方向に付勢されたプランジャ３が内蔵されている。一方、固定板２３の摺動面２３ｓには「Ｉ」「ＩＩ」「ＩＩＩ」の各位置に対応する窪み２４を形成した。そして、回動板２２と摺動面２３ｓとの間に形成した上記隙間内に、シャッタ部材であるシャッタ４を挿入した。該シャッタ４は合成樹脂からなるフィルム材や金属製の薄板で形成されている。該シャッタ４は図３に示すように帯状に形成され、４個の開口４１〜４４及び係合穴４５が開設されている。尚、上記特許請求の範囲において記載したシャッタ部材に開設した開口は開口４１に相当する。
【００１２】
図４を参照して、シャッタ４の両端を折り曲げ、係止部４ａ・４ｂを形成し、固定板２３の形成したストッパ部２３ａ・２３ｂに各々係合するようにした。図に示すようにシャッタ４は回動板２２と摺動面２３ｓとの間を、摺動面２３ｓに沿って往復移動するが、図４に示す復動端位置にある状態では係止部４ｂがストッパ部２３ｂに当接して図４に示す状態から復動方向である右回り方向への移動が規制される。反対に、図５に示す状態ではシャッタ４は往動端位置にあり、係止部４ａがストッパ部２３ａに当接し、往動方向である左回り方向への移動が規制される。図４に示す状態では、回動操作軸１２は火力調節弁１に内蔵された図示しないストッパ機構の作用により、該図示の状態から右回りに回動操作することができない。点火操作の際には火力調節つまみ１１を「ＩＩ」位置まで一気に回動する。その際、プランジャ３が「止」位置を離れると、最初にプランジャ３の先端は係合穴４５内に嵌り、プランジャ３の先端でシャッタ４を引っ掛けて、回動板２２の左回りの回動に連動してシャッタ４を往動させる。シャッタ４は上記のように係止部４ａがストッパ部２３ａに当接するとそれ以上往動できないため、プランジャ３の先端は係合穴４５から外れて更に「ＩＩ」位置に向かって回動する。図５に示すように、プランジャ３の先端が「Ｉ」位置を通過する際シャッタ４は「Ｉ」位置に形成した窪み２４−Ｉを覆い、そのためプランジャ３の先端は窪み２４−Ｉに嵌ることなく「ＩＩ」位置まで移動する。従って、プランジャ３が「止」位置から「ＩＩ」位置に移動するまでクリック感は生じない。一方、シャッタ４の開口４２は「ＩＩ」位置の窪み２４−ＩＩに一致しているので、プランジャ３が「ＩＩ」位置に移動するとプランジャ３の先端は開口４２を通って窪み２４−ＩＩ内に嵌りクリック感が生じる。ここで、図外のマイクロスイッチが作動して点火電極から火花放電が連続して生じ、あるいは圧電式点火装置（図示せず）のハンマが圧電素子を打撃して点火電極から火花放電が生じ、両バーナＢ・Ｓに点火が行われる。尚、火力調節弁Ｉ内には該「ＩＩ」位置で点火が完了した後火力調節つまみ１１から手を離すと略１０度回転操作軸１２を戻す従来より用いられているカムプランジャ機構が内蔵されており、そのため窪み２４−ＩＩは回動操作軸１２が略１０度戻される際にプランジャ３が抵抗にならないように「ＩＩ」位置から「止」位置側に長く設定されている。また、回動操作軸１２に連動して回動される図示しない閉子が回動操作軸１２が戻される際の抵抗にならないように、回動操作軸１２と閉子との間にはガタが設けられている。点火が完了した後、火力調節つまみ１１を更に左回りに回動させると、プランジャ３が「ＩＩＩ」位置に移動した時点でシャッタ４の開口４３を通ってプランジャ３の先端が窪み２４−ＩＩＩ内に嵌りクリック感が生じる。火力調節つまみ１１を更に左回りに回動すると回動操作軸１２は図外のストッパ機構により「ＩＶ」位置でそれ以上の左回りの回動が規制される。尚、プランジャ３が「ＩＶ」位置に到達すると「ＩＶ」位置に開口４４が位置しているため、プランジャ３の先端は開口４４内に嵌りクリック感が生じる。該「ＩＶ」位置から火力調節つまみ１１を右回りに回動すると、プランジャ３の先端が開口４４内に嵌っているため回動板２２の右回りへの回動に伴ってシャッタ４が復動し、プランジャ３が「ＩＩＩ」位置まで戻ると開口４４を通ってプランジャ３の先端が窪み２４−ＩＩＩに嵌り再びクリック感が生じる。火力調節つまみ１１を更に右回りに戻すと、シャッタ４は係止部４ｂがストッパ部２３ｂに当接するためシャッタ４は図６に示す復動端位置から動かない。一方、回動板２２は右回りに回動し続ける。そして、プランジャ３は「ＩＩ」位置から「止」位置側に略２０度ずれた位置で開口４２を通って窪み２４−ＩＩに嵌りクリック感が生じる。このように、シャッタ４をずらせて「ＩＩ」位置から「止」位置側に略２０度ずれた位置に開口４２が一致するようにした理由は、上述のごとく回動操作軸１２と図外の閉子との間には略１０度のガタが設けてあり、回動操作軸１２を左回動させた際と右回動させた際とで閉子が同じ回動位置になるようにするためには回動操作軸１２を「ＩＩ」位置から「止」位置側に略２０度ずれた位置でクリック感が生じるようにする必要があったからである。従って、窪み２４−ＩＩは「ＩＩ」位置から「止」位置側に略２０度戻った位置まで設けられている。更に火力調節つまみ１１を右回りに回動するとプランジャ３は「Ｉ」位置まで移動する。その時点では開口４１が「Ｉ」位置にあるのでプランジャ３の先端は開口４１を通って窪み２４−Ｉに嵌りクリック感が生じる。尚、図４に示す止位置の状態から火力調節つまみ１１を「ＩＩ」位置まで回動し点火した後、「ＩＩＩ」「ＩＶ」位置に向かって回動せず、「ＩＩ」位置から「Ｉ」位置に火力調節つまみ１１を戻した際にも、プランジャの先端は開口４２に嵌ったまま係止部４ｂがストッパ部２３ｂに当接するまでシャッタ４は復動する。図６に示す状態では、開口４１が「Ｉ」位置にあるため、同様にプランジャ３の先端が窪み２４−Ｉに嵌りクリック感が生じる。そして、「Ｉ」位置から「ＩＩ」位置へ左回りに回動するとプランジャ３の先端が開口４１を通って窪み２４−Ｉに嵌ったままシャッタ４を回動させる。「ＩＩ」位置の状態では図５に示すように、ストッパ部２３ａと係止部４ａとが当接した状態で開口４２を通って窪み２４−ＩＩに嵌りクリック感が生じる。また、上記「Ｉ」位置の状態から火力調節つまみ１１を更に右回りに回動すると、上記図４に示した状態に戻り両バーナＢ・Ｓは共に消火する。
【００１３】
上記実施の形態では、回動操作軸１２の回動軸線に対して放射方向にプランジャ３を進退させることによりクリック機構２の厚みを薄くした。但し、例えば回動軸線からの放射方向への距離を小さくする等の必要があれば、回動軸線に対して平行にプランジャを進退させるようにても良い。尚、その際にはシャッタの形状を適宜変更し、回動軸線回りに揺動する円板状のものにする。また、上記実施の形態では「Ｉ」位置から「ＩＶ」位置までを有するものについて説明したが、「Ｉ」位置および「ＩＩ」位置しか設定されていないタイプのものにも本発明を適用することができる。
【００１４】
【発明の効果】
以上の説明から明らかなように、本発明は、回動操作軸を往動させる際にはクリック感が生じず、復動の際にクリック感が生じるようにしたので、操作する者に違和感を与えるという不具合が生じない。
【図面の簡単な説明】
【図１】本発明の一実施の形態の構成を示す断面図
【図２】火力調節つまみと火力との関係を示す図
【図３】シャッタの形状を示す図
【図４】プランジャとシャッタとの位置関係を示す図
【図５】プランジャとシャッタとの位置関係を示す図
【図６】プランジャとシャッタとの位置関係を示す図
【符号の説明】
１  火力調節弁
２  クリック機構
３  プランジャ
４  シャッタ
１２  回動操作軸
２２  回動板
２３  固定板
【図１】
0003614656.tif 000002
【図２】
0003614656.tif 000003
【図３】
0003614656.tif 000004
【図４】
0003614656.tif 000005
【図５】
0003614656.tif 000006
【図６】
0003614656.tif 000007